(57)【要約】【課題】輸送時等の装置が使用されていないとき、装置に内蔵されたＨＤＤ等精密機器を振動・衝撃から保護し、装置の使用時等には該精密機器を装置筐体に固定する構造を実現する。【解決手段】装置に電源が投入されるとソレノイド１４の回転軸すなわち偏心カムが所定の角度だけ回転し、ＨＤＤブラケット２０の半固定側は下方に押し下げられる。この結果、ＨＤＤブラケット２０は段付きスタッド１５の係止平面位置で、段付きスタッド１５を介してシャーシ１０に固定される。【選択図】    図３
2004213735.tif 000002
【特許請求の範囲】
【請求項１】
筐体と、
上記筐体に内蔵される電子機器と、
上記電子機器を浮動状態と固定状態とに選択的に保持する保持機構と、を具備し、
上記保持機構は、上記電子機器への電力供給開始に応じて上記電子機器を固定状態に保持することを特徴とする電子装置。
【請求項２】
上記保持機構は、上記電子機器への電力供給終了に応じて上記電子機器を上記固定状態から上記浮動状態に保持することを特徴とする請求項１記載の電子装置。
【請求項３】
上記保持機構は、
上記電子機器を浮動状態に保持する緩衝手段と、
上記電子機器の変位を制限する変位制限手段と、
上記電子機器への電力供給開始に応じて、上記電子機器を上記変位制限手段方向に変位させ、上記電子機器を上記変位制限手段に当接する位置に維持する変位手段と、
を具備することを特徴とする請求項１記載の電子装置。
【請求項４】
上記保持機構は、上記電子機器に取り付けられるブラケットを有し、
上記変位手段は、
上記電子機器への電力供給開始に応じて駆動されるモータと、
上記モータの駆動により上記ブラケットを上記変位制限手段方向へ変位させるカムと、
を具備することを特徴とする請求項３記載の電子装置。
【請求項５】
上記ブラケットは、一端が上記筐体に回動可能に指示され、他端が上記カムにより上記変位制限手段方向へ変位させられることを特徴とする請求項４記載の電子装置。
【請求項６】
上記保持機構は、上記電子機器に取り付けられるブラケットを有し、
上記変位手段は、上記電子機器への電力供給開始に応じて、上記ブラケットを上記変位制限手段方向へ変位させるソレノイドを有することを特徴とする請求項３記載の電子装置。
【請求項７】
上記緩衝手段は上記ブラケットの両端に設けられ、上記ソレノイドは上記緩衝手段の間に配置されることを特徴とする請求項６記載の電子装置。
【請求項８】
筐体と、
上記筐体に内蔵される電子機器と、
上記電子機器を浮動状態と固定状態とに選択的に保持するとともに、上記筐体が所定の場所に載置されたことを検知する検知手段を有する保持機構と、
を具備することを特徴とする電子装置。
【請求項９】
上記筐体は底面を有し、
上記検知手段は、上記底面より突出する方向に付勢され、上記筐体を所定の場所に載置した際上記筐体方向に押し込まれるシャフトを具備することを特徴とする請求項８記載の電子装置。
【請求項１０】
上記筐体の底面には脚部が設けられ、上記シャフトは上記脚部より突出していることを特徴とする請求項９記載の電子装置。
【請求項１１】
上記保持機構は、上記シャフトが上記突出状態から上記筐体方向へ押し込まれた際、上記シャフトの変位に連動して上記電子機器を上記浮動状態から上記固定状態に保持するリンク機構を具備することを特徴とする電子装置。
【発明の詳細な説明】
【０００１】
【発明の属する技術分野】
この発明は、精密機器を内蔵した装置の該精密機器を保持する構造に関する。
【０００２】
【従来の技術】
近年録画再生可能なＤＶＤ記録機は、ＤＶＤの記録容量を補うためＨＤＤ（ハードディスクドライブ）を内蔵し、長時間録画に対応した機種が登場している。このようなＡＶ機器にＨＤＤを採用し始めたのは、ＨＤＤの記録容量が急激に増加し、値段が大幅に安くなった最近のことである。しかしながらＨＤＤを内蔵するＡＶ機器は、ＰＣ製品とは違い家電製品という位置づけで、輸送時の筐体内部の構造上の配慮がされていなかった。
【０００３】
一般にＨＤＤは、ＨＤＤのスピンドルモーターの回転とシーク時のヘッドが共振しないように、筐体のシャーシにブラケットを介しネジで固定されている。
【０００４】
【発明が解決しようとする課題】
本体に内蔵されたＨＤＤがシャーシに固定されているため、ＨＤＤは輸送時の落下等の衝撃・振動に対し弱く、本体への衝撃は精密電気機器であるＨＤＤの故障の主原因であった。そのため本体輸送時の梱包は、本体内部の衝撃を極力和らげるため高価な緩衝材を使用したり、複雑な緩衝構造を採用したりとコストアップの要因の１つにもなっていた。
【０００５】
従って本発明は、装置内に内蔵された電子機器を振動、衝撃から保護することを目的とする。
【０００６】
【課題を解決するための手段】
上記目的を達成するために本発明の電子装置は、筐体と、上記筐体に内蔵される電子機器と、上記電子機器を浮動状態と固定状態とに選択的に保持する保持機構とを具備し、上記保持機構は、上記電子機器への電力供給開始に応じて上記電子機器を固定状態に保持する。
【０００７】
上記構成により、装置内に内蔵された電子機器を振動、衝撃から保護することが可能となる。
【０００８】
【発明の実施の形態】
図面を参照しながら本発明の実施の形態について詳細に説明する。以下に示す実施形態では、本発明による電子装置をＨＤＤ内蔵ＤＶＤレコーダーとして説明するが、本発明はこれに限るものではなく、ＨＤＤ内蔵ＴＶ、ＨＤＤ内蔵チューナ等のＨＤＤ内蔵装置、更に衝撃・振動に弱い機器を内蔵する装置に適用することができる。
【０００９】
図１は本発明の一実施形態に係る電子装置の電子機器保持構造を示す斜視図である。
【００１０】
ＤＶＤドライブ１２は筐体のシャーシ１０にゴム等の緩衝材を介してネジ（図示されず）で固定されている。ＨＤＤ１１はＨＤＤ取り付け板（以下ＨＤＤブラケットと記載する）２０に固定部２０ａを含む複数の固定部においてネジで固定されている。固定部２０ａはＨＤＤブラケット２０を構成する例えば鉄板に略半円形の切込みを入れ、その部分を上方に折り曲げたものである。
【００１１】
一般に本体に内蔵されたＨＤＤはシャーシに固定されているため、輸送時の落下等の衝撃・振動に対し弱い。ＨＤＤが衝撃・振動に対して弱い理由の一つは、電源が投入されていないとき、一般にＨＤＤのヘッドはディスクに接触しており、衝撃・振動によりディスクがヘッドにより傷つくためである。本実施形態においてＨＤＤは非通電時、浮動状態で保持される。
【００１２】
ＨＤＤブラケット２０はその一方の側（図中左側）にヒンジ部２０ｂを有し、ヒンジ部２０ｂはヒンジブラケット２１に回転軸２１ａを中心に回転自在に取り付けられている。ヒンジブラケット２１はシャーシ１０に固定されている。ＨＤＤブラケット２０の他方の側（図中右側）はコイルスプリング等の緩衝材１６を介してシャーシ１０に、半固定の状態すなわち浮動状態で取り付けられる。
【００１３】
この結果ＨＤＤ１１は輸送のときなどに落下等により装置に強い衝撃が与えられても、その衝撃から保護される。緩衝材１６はコイルスプリングに限らず、ゴム、ウレタン、空気スプリング等、衝撃を吸収する材料を使用可能である。
【００１４】
ＨＤＤ１２はこのように緩衝材１６を介して半固定の状態では、動作時、例えばハードディスク上のトラックをヘッドがシークする時等に、ディスクのスピンドルモータとヘッドが共振し誤動作を発生することがある。従って本実施形態では、装置に電源が投入されるとＨＤＤ１１がシャーシに固定される構造を有している。ＨＤＤブラケット２０の半固定側（緩衝材１６で示される側）のＨＤＤブラケット２０から離れた所定位置には、アクチュエータとしてのソレノイド１４がアクチュエータブラケット１８を介してシャーシ１０に固定されている。ソレノイド１４の回転軸には偏心カム１３が取り付けられている。装置に電源が投入されるとソレノイド１４の回転軸すなわち偏心カムが所定の角度だけ回転し、ＨＤＤブラケット２０の半固定側は下方に押し下げられる。
【００１５】
図２（ａ）はＨＤＤ１１周辺を図１の矢印Ａ方向から見た図である。また図２（ａ）は装置に電源が投入され、ＨＤＤ１１が段付きスタッド１５を介してシャーシ１０に固定された場合を示している。図２（ｂ）は図１の矢印Ｂ方向から偏心カム１３周辺を見た図である。また図２（ｂ）は装置に電源が投入され、ＨＤＤブラケット２０が偏心カム１３の回転により下方に押し下げられる様子を示している。図２（ｃ）は段付きスタッド１５付近の拡大図である。
【００１６】
ＨＤＤブラケット２０の半固定側下部には、段付きスタッド１５がシャーシ１０に固定されている。電源が投入されると偏心カム１３が回転し、ＨＤＤブラケット２０の半固定側に設けられた孔２３が段付きスタッド１５の円錐形上部１５ａを通り降下する。ＨＤＤブラケット２０は段付きスタッド１５の平面の係止部１５ｂに押さえ付けられ固定される。このように偏心カム１３及びソレノイド１４はＨＤＤブラケット２０を変位させる変位手段、段付きスタッド１５はＨＤＤブラケット２０の変位を制限する変位制限手段として作用する。
【００１７】
装置の電源が遮断されると、偏心カム１３は軸２２の先端に取り付けられた復帰スプリング１７により、図２（ｂ）の実線に示される偏心カムの回転位置に戻る。図２（ｃ）に示すように、孔２３の直径Ｄｈと段付きスタッド１５の円錐形上部１５ａの外径Ｄｓの差は極僅かである。つまりＨＤＤブラケット２０が係止部１５ｂに当接した状態で、孔２３と円錐形上部１５ａとの隙間は極小さくなるように設計されるので、ＨＤＤ１１の共振が効果的に防止される。また、平面の係止部１５ｂを設けずに、スタッド１５の上部形状を単なる円錐形とし、孔２３が該円錐形の表面に実質的な余裕を持たずに当接する構造とすれば、更にＨＤＤ１１の共振が防止される。
【００１８】
図３は本装置の電気的構成の一例を示すブロック図である。電源２は例えばＡＣ１００ＶをＤＣ電圧Ｖｃｃに変換する。制御部３はＨＤＤ１１及びＤＶＤドライブ１２の記録再生動作を制御する。アクチュエータコントローラ４はアクチュエータ（ソレノイド）１４を駆動する電流を制御する。アクチュエータ１４は単にＶｃｃ・ＧＮＤ間に接続してもよいが、本実施形態ではアクチュエータコントローラ４により電流量が制御される。
【００１９】
ＡＣ１００ＶがＡＣプラグ５を介して供給され、電源スイッチＳＷがオンされると、電源２はＤＣ電圧Ｖｃｃを制御部３に供給する。アクチュエータ１４はＨＤＤ１１が衝撃を伴わずに段付きスタッドに固定されるように、アクチュエータ１４に流れる電流を制御する。
【００２０】
図４（ａ）は本発明の第２の実施形態に係るＨＤＤ内臓ＤＶＤレコーダのＨＤＤ保持構造を示す斜視図であり、ＤＶＤレコーダ及びシャーシは第１の実施形態と同様であるので省略されている。図４（ｂ）は図４（ａ）の装置を矢印Ｃ方向から見た図である。
【００２１】
ＨＤＤ１１はＨＤＤブラケット３０に固定部３０ａを含む複数の固定部においてネジで固定されている。ＨＤＤブラケット３０の四隅には貫通孔２３が設けられ、孔２３の下方には段付きスタッド１５がシャーシに固定されている。孔２３と段付きスタッド１５の関係は上記第１の実施形態と同様である。またＨＤＤブラケット３０四隅下方には、段付きスタッド１５とは異なる位置にコイルスプリング等で構成される緩衝材３２が設けられている。ＨＤＤブラケット３０は緩衝材３２を介してシャーシ１０に、半固定の状態で取り付けられる。ＨＤＤブラケット３０のＨＤＤ１１を挟んで両側下方には電磁石３３が設けられる。電磁石３３はコア３３ａとコイル３３ｂにより構成され、シャーシ１０に固定されている。ここで電磁石の数は適宜変更可能である。本実施形態の電気回路構成は図３と同様であり、電磁石３３はアクチュエータ１４に対応する。
【００２２】
装置に電源が投入されるとコイル３３ｂに電流が流れ、ＨＤＤブラケット３０には矢印Ｄの方向に電磁石３３に対する吸引力が発生し、ＨＤＤブラケット３０は下方に押し下げられる。その結果ＨＤＤブラケット３０は段付きスタット１５に固定される。ＨＤＤブラケット３０が固定されると、コイル３３ｂを流れる電流は、アクチュエータコントローラ４により減少され省電力駆動が行われる。
【００２３】
この実施形態の場合、電源が供給されていないとき、ＨＤＤブラケットは緩衝材３２のみで支持されるので、第１の実施形態に比べ方向性の無い高い耐衝撃性が得られる。この場合も、緩衝材３２はコイルスプリングに限らず、ゴム、ウレタン、空気スプリング等、衝撃を吸収する材料を使用可能である。
【００２４】
図５（ａ）は本発明の第３の実施形態に係るＨＤＤ内臓ＤＶＤレコーダのＨＤＤ保護構造を示す斜視図であり、ＤＶＤレコーダ及びシャーシは第１の実施形態と同様であるので省略されている。図５（ｂ）は図５（ａ）の装置を矢印Ｅ方向から見た図である。
【００２５】
図５（ａ）から分かるように、本実施形態におけるＨＤＤブラケット３０、孔２３、段付きスタッド１５、緩衝材３２の構成は第２の実施形態と同様である。本実施形態では図５（ｂ）のように、アクチュエータとして第２の実施形態の電磁石３０の代わりにソレノイド３３が用いられる。本実施形態の電気回路構成は図３と同様であり、ソレノイド３３はアクチュエータ１４に対応する。
【００２６】
アクチュエータ３３はブラケット（図示されず）を介してシャーシ１０に固定されている。アクチュエータ３３のシャフト３３ａはＩ字形リンク３５に回転軸３５ａを中心にして回転可能に接続されている。Ｉ字形リンク３５はＬ字形リンク３６に回転軸３５ｂを中心にして回転可能に接続されている。Ｌ字形リンク３６は支持部材３４に回転軸３４ａを中心にして回転可能に接続され、支持部材３４はシャーシ１０に固定されている。Ｌ字形リンク先端付近には矢印Ｇ方向に貫通孔（図示されず）が設けられ、その孔に押さえ軸３７が余裕を持って貫通している。押さえ軸３７のＧ方向先端にはＬ字形リンク３６が下方に抜けないよう上記孔より大きな径を有する係止部３７ａが形成され、押さえ軸３７はＨＤＤブラケット３０に固定されている。
【００２７】
装置に電源が投入されるとソレノイド３３に電流が流れ、ソレノイドシャフト３３ａは矢印Ｆ方向に移動し、それに伴ってＩ字形リンク３５が同方向に移動する。Ｉ字形リンク３５のＦ方向移動により、Ｌ字形リンク３６は回転軸３４ａを中心に回転し、押さえ軸３７をＧ方向に押し下げる。このとき、ＨＤＤブラケット３０の最下面は、その孔２３が段付きスタッド１５の円錐形上部１５ａに案内されながら、リング形平面１５ｂの位置まで押し下げられ、最終的に段付きスタッド１５に固定される。本実施形態においてＨＤＤブラケット３０下方に設けられるソレノイド３３及びリンク機構３４〜３７で構成される押さえ機構の数及び配置は適宜選択可能である。
【００２８】
この実施形態の場合、電源が供給されていないとき、ＨＤＤブラケットは緩衝材３２のみで支持されるので、第２の実施形態同様に方向背の無い高い耐衝撃性が得られる。この場合も、緩衝材３２はコイルスプリングに限らず、ゴム、ウレタン、空気スプリング等、衝撃を吸収する材料を使用可能である。
【００２９】
図６は本発明の第４の実施形態に係るＨＤＤ内臓ＤＶＤレコーダのＨＤＤ保護構造を示す。上記第３の実施形態のように、本実施形態におけるＨＤＤブラケット３０、孔２３、段付きスタッド１５、緩衝材３２の構成は第２の実施形態と同様である。本実施形態では、シャーシ１０の下面に設けられる一般に４個のゴム足の中の１つあるいは複数個のゴム足に、図６のようなＨＤＤ支持機構が設けられる。
【００３０】
ゴム足４５及びシャーシ１０にはシャフト４０が余裕を持って貫通する孔４５ａ、１０ａが設けられる。シャフト４０はＩ字形リンク４２に回転軸４０ａを中心に回転可能に接続されている。Ｉ字形リンク４２は支持部材４１に回転軸４１ａを中心として回転可能に接続され、支持部材４１はシャーシに固定されている。Ｉ字形リンク先端付近には矢印Ｈ方向に貫通孔（図示されず）が設けられ、その孔に押さえ軸４３が余裕を持って貫通している。押さえ軸４３のＨ方向先端にはＩ字形リンク４２が下方に抜けないよう上記孔より大きな外径を有する係止部４３ａが形成されている。押さえ軸４３はＨＤＤブラケット３０に固定され、係止部４３ａ及びＩ字形リンク４２の間の押さえ軸４３には圧縮コイルスプリング４４が挿入されている。
【００３１】
装置が机上等に設置される際、ゴム足から突出するシャフト４０は装置の重みにより上方に移動する。この移動に伴ってＩ字形リンク４２は回転軸４１ａを中心にして回転し、押さえ軸４３側一端が下方に移動する。従って、押さえ軸４３の係止部４３ａはＩ字形リンク４２によりスプリング４４を介して押し下げられる。このとき、ＨＤＤブラケット３０は、その孔２３が段付きスタッド１５の円錐形上部１５ａに案内されながら、リング形平面１５ｂの位置まで押し下げられ、最終的に段付きスタッド１５に固定される。
【００３２】
本実施形態の場合、ＨＤＤ１１をシャーシにスタッド１５を介して固定する場合に電力を消費しないので、省電力を実現できる。
【００３３】
【発明の効果】
以上説明したようにこの発明によれば、装置内に内蔵された電子機器を振動、衝撃から保護することが可能となる。
【図面の簡単な説明】
【図１】本発明の一実施形態に係る電子装置の電子機器保護構造を示す斜視図である。
【図２】図１に示す装置の構造を詳細に示す図である。
【図３】本装置の電気的構成の一例を示すブロック図である。
【図４】本発明の第２の実施形態に係るＨＤＤ内臓ＤＶＤレコーダのＨＤＤ保護構造を示す図である。
【図５】本発明の第３の実施形態に係るＨＤＤ内臓ＤＶＤレコーダのＨＤＤ保護構造を示す図である。
【図６】本発明の第４の実施形態に係るＨＤＤ内臓ＤＶＤレコーダのＨＤＤ保護構造を示す図である。
【符号の説明】
１０…シャーシ、１１…ＨＤＤドライブ、１２…ＤＶＤドライブ、１３…偏心カム、１４…アクチュエータ、１６…緩衝材、１７、３２、４４コイルスプリング、１８…アクチュエータブラケット、２０…ＨＤＤブラケット、２１ヒンジブラケット、３３…電磁石、３５…Ｉ字形リンク、３６Ｌ字形リンク
【図１】
2004213735.tif 000003
【図２】
2004213735.tif 000004
【図３】
2004213735.tif 000005
【図４】
2004213735.tif 000006
【図５】
2004213735.tif 000007
【図６】
2004213735.tif 000008